(57)【要約】      （修正有）【課題】急な斜面でも足元を安定させ、安全に草刈り作業を行うことができる長靴サンダルを提供する【解決手段】長靴サンダル１５の使用方法は、作業現場近くで、長靴３を長靴支持面に載せるようにして履く。固定は、装着ベルト１２を長靴３の上にかけて、面ファスナを反対側の面ファスナに貼り付けて確実に固定する。長靴サンダル１５は、傾斜面で滑り止め７，７ａが地面に食い込み、足元の滑りを防ぎ、安定な作業を可能にする。また、底面は平面であり、平地の歩行時に転けるのを防止する。また、滑り止め７ａも、底面とともに平地での歩行を助ける。【選択図】図１
0003136273.tif 000002
【実用新案登録請求の範囲】
【請求項１】
長靴に履かせる、サンダルの裏側が、地面の斜面の角度に対応した形ちで、滑り止めも装着した、長靴サンダル。
【請求項２】
そして、このサンダルを、左右どちらの足でも、装着出来るものの、請求項１の、長靴サンダル。
【請求項３】
それで、このサンダルと長靴を装着するのに、一本体に二箇所に、マジックテ−プを使用の、長短二たとうりに着脱出来る、請求項１の長靴サンダル。
【考案の詳細な説明】
【技術分野】
【０００１】  この考案は、色々な傾斜地の、草を刈る時に足元を支える為に使用される、草刈りサンダルに関するものである。
【背景技術】
【０００２】  従来、日本の各地で田圃の畦や山間地の、傾斜地の強い所などは、ほとんど動力草刈り機を使用して、行なわれて居ます。【０００３】  そして、この草刈り作業は急な傾斜面のため、滑ったり、足元が崩れたりで、足元が定まらずに不自然な体勢に成るものだから、大変な重労働で、大変苦労しています。
【考案の開示】
【考案が解決しょうとする課題】
【０００４】  それで、この草刈り作業を容易にする為には、足元を固定出来る方法を考える。
【０００５】  この考案は、特殊なサンダルを長靴に履かせるもので、このサンダルは底の厚さをたかくして、その底の部分をたとえば、４５°位の角度で片方から削り取った形である。
【課題を解決するための手段】
【０００６】  この考案は、サンダルの裏接地面を、傾斜地に対応出来る角度に加工し、それに滑り止を設けた形の長靴サンダルである。
【０００７】  さらに、サンダルの裏面の一部分を、平らな所も履けそれはこのサンダルを履いて平らな所を歩く時に足が、げくらない程度のものにする。
【０００８】  そして、この長靴サンダルを長靴に履かせ、丈夫なバンドでしっかりと装着する、それで、この装着バンドには、着脱の簡単なマジックテ−プを要いる。
【考案の効果】
【０００９】  この考案の、長靴サンダルは、傾斜の強い地面や、田圃の畦などの傾斜地で、作業をする時に使用し、足元が滑ったり崩れたりせずに、作業がしやすく、移動もすむうすに出来るものである。
【考案を実施するための最良の形態】
【００１０】  以下、この考案の長靴サンダルの一形態について、図１〜図７に基ずいて説明する。
この実施形態の長靴サンダル１５は、図１で示す本体１０は、樹脂などにより形成されて適度な重力に耐えれる、素材で形成する。【００１１】  そして、本体１０の横斜面側１の部分の８の角度を、たとえは４５°位にし、そして、１の部分に、滑り止めの７を二箇所と７ａを三箇所を設け。これは本体１０を履き、上えの方から重力が加われば、この１の部分が、傾斜地面に接地し、横斜面側に力が加わり、そして、滑り止め７と７ａで、本体１０の下えの滑りを防ぎ、足元を安定できる。【００１２】  なを、本体１０の４の部分は、長靴サンダル１５の裏底部で、平らの部分で、ここは平地など１０を、履いて歩く時に足のげくりを防ぐ為のもので、そして此のげくり防止になる、７ａの三箇所も滑り止めと、両働きをし、地面をしっかりとらえ、足元の安定を保たれるものです。【００１３】  そして、本体１０の５の部分は、本体１０と長靴のはみ出し防止のためと、本体１０と
【考案を実施するための最良の形態】
【００１３】  長靴としっかり留める、ベルトの取り付けにも使用する、【００１４】  次に、この実施形態の長靴サンダル１５の使用方法について説明する。長靴サンダルはなるべく、作業をする場所の近くで着脱を行なうようにする、そして着脱のさいは本体１０の５の部分の片方に固定した、マジックベルト二箇所を使い装着する。【００１５】  それで、長靴サンダルを装着し、作業をする時傾斜地面に向かって、右方向に向かう時は、図６で示すように、Ａは右足、Ｂは左あしで右方向で、こんどは左の方向に向かう時は、Ａの足をＤに、Ｂの足をＣの長靴サンダルに履き替える。これはサンダルの裏側が、特殊なものになっているので、本来は二足必要なものを、一足で賄う為です。【００１６】  なを、この考案長靴サンダルは上記実施形態に限定されるものでなく、サイズや形状は適宣設定可能なものである。また、サンダル素材は、濡れたり、多少汚れたりしても、水で簡単に洗い流されるもので、丈夫なものをつくる。それで、参考に金属で試作したものを、写真に撮って出しました。
【図面の簡単な説明】
【００１７】
【図１】この実施形態の長靴サンダル１５の本体１０を表す、後面図又正面図である。
【図２】この実施形態の長靴サンダル１５の、本体１０の左側面図である。
【図３】この実施形態の長靴サンダル１５の、本体１０の右側面図である。
【図４】この実施形態の長靴サンダル１５の、本体１０の平面図である。
【図５】この実施形態の長靴サンダル１５の、本体１０の低面図である。
【図６】この実施形態の長靴サンダル１５の、本体１０の履き方を表わす
【図７】この実施形態の長靴サンダル１５の、本体１０の装着ベルトを表わす。
【符号の説明】
【００１８】１５・長靴サンダル
１０・本体
１・斜面側
２・靴底の当たる部
３・左側面
４・底の部
【符号の説明】
【００１８】  ５・踵部及び靴のはみ出し防止部
６・空洞部分
７・滑り止め部
８・角度４５°
９・水抜き溝
１２・バンドを表わす
１３・バンドずれ防止のわく
１４・空洞
１６・水抜き穴
図６
Ａ・右足
Ｂ・左足
Ｃ・左足
Ｄ・右足
【図１】
0003136273.tif 000003
【図２】
0003136273.tif 000004
【図３】
0003136273.tif 000005
【図４】
0003136273.tif 000006
【図５】
0003136273.tif 000007
【図６】
0003136273.tif 000008
【図７】
0003136273.tif 000009
【手続補正書】
【提出日】平成19年5月28日(2007.5.28)
【手続補正２】
【補正対象書類名】実用新案登録請求の範囲
【補正対象項目名】全文
【補正方法】変更
【補正の内容】
【実用新案登録請求の範囲】
【請求項１】
長靴のまま履くことができるサンダルにおいて、このサンダルの側面から底面の一部が切除されて傾斜側面が形成され、この傾斜側面は、水平面に対して傾斜した角度の面であって足の向きに沿った方向の面であり、前記傾斜側面には滑り止めが取り付けられていることを特徴とする長靴サンダル。
【請求項２】
前記サンダルは、左右どちらの足にも装着できる請求項１記載の長靴サンダル。
【請求項３】
前記サンダルは、前記長靴に装着するために、本体の二箇所に面ファスナを取り付けた請求項１または２記載の長靴サンダル。
【手続補正３】
【補正対象書類名】明細書
【補正対象項目名】全文
【補正方法】変更
【補正の内容】
【考案の詳細な説明】
【技術分野】
【０００１】
この考案は、傾斜地で草を刈るときなどに足元を支えるために、長靴まま着用する長靴サンダルに関する。
【背景技術】
【０００２】
従来、日本の各地の田の畦や山間地の傾斜地では、動力草刈り器を使用して除草が行われている。この草刈り作業は、急な傾斜面のため、滑ったり、足元が崩れたりして、足元が安定せず、不自然な体制で行われる場合が多く、大変な重労働であり、作業者は苦労していた。
【考案の開示】
【考案が解決しようとする課題】
【０００３】
この考案は、上記従来の技術の問題点に鑑みて成されたもので、急な斜面でも足元を安定させ、安全に草刈り作業を行うことができる長靴サンダルを提供することを目的とする。
【課題を解決するための手段】
【０００４】
この考案は、底の厚いサンダルを長靴に履かせるもので、底の部分を地面に対して例えば斜め４５°に削り取った形状の長靴サンダルである。
【０００５】
この考案は、長靴のまま履くことができるサンダルであって、このサンダルの側面から底面の一部が切除されて傾斜側面が形成され、この傾斜側面は、水平面に対して傾斜した角度の面であって足の向きに沿った方向の面であり、前記傾斜側面には滑り止めが取り付けられている長靴サンダルである。
【０００６】
前記サンダルは、左右どちらの足にも装着できるものである。また、前記サンダルは、前記長靴に装着するために、本体の二箇所に面ファスナを取り付けたものである。
【考案の効果】
【０００７】
この考案の長靴サンダルによれば、他の畦やその他傾斜地でも、除草作業灯において足元が滑ったりすることがなく、作業しやすく、移動もしやすいものである。
【考案を実施するための最良の形態】
【０００８】
以下、この考案の実施形態について図面に基づいて説明する。図１〜図８はこの考案の一実施形態を示すもので、この実施形態の長靴サンダル１５は、本体１０が樹脂や金属などで形成され、作業時の荷重に耐え得る材料で形成されている。長靴サンダル１５は、水平な長靴支持面２と、その長手方向両側面に立設され、長靴３側面を支持する側面支持部５と、長靴支持面２の長手方向両端部に立設され長靴３の前後を支持する円弧状の前後支持面６を備えている。前後支持面６には、水抜き用のスリット９が形成されている。さらに、前後支持面６の内側の長靴支持面２には、水抜き穴１６が形成されている。
【０００９】
長靴支持面２の裏面側には、厚い靴底状に形成され、本体１０の長靴支持面２から斜め４５°に、傾斜側面１が形成されている。傾斜側面１は、水平面に対して傾斜した面であって、足の向きに沿った方向の面である。靴底を側面から削り取るように形成され、底面４が長靴支持面２の半分程度の幅に形成されている。
【００１０】
傾斜側面１には、長靴支持面２の側方である上辺側に、三角柱状の滑り止め７が２箇所に設けられ、底面４の側方である下辺側には、三角柱状の滑り止め７ａが３箇所に設けられている。また、傾斜側面１とは反対側の側面８は、垂直方向に形成され底面４につながっている。
【００１１】
側面支持部５には、長手方向にスリット状の空間１４と、長手方向に３等分した程度の位置に所定幅の一対のベルト挿通部１３が形成され、各ベルト挿通部１３に、長靴３に取り付けるための装着ベルト１２が通されている。装着ベルト１２には、基端部に雄部材の面ファスナ１２ａが取り付けられ、先端部には雌部材の面ファスナ１２ｂが取り付けられている。
【００１２】
この実施形態の長靴サンダル１５の使用方法は、作業現場近くで、長靴３を長靴支持面２に載せるようにして、図１に示すように履く。固定は、装着ベルト１２を長靴３の上にかけて、面ファスナ１２ｂを反対側の面ファスナ１２ａに貼り付けて確実に固定する。
【００１３】
作業は、傾斜側面１が傾斜地の斜面に向くように行うもので、図７に示すように、図面において、傾斜方向ａの斜面で、右方向へ移動する場合は、Ａが右足で、Ｂが左足になるように履く。また、逆向きに移動する場合は、Ｃ，Ｄのように左右の足を履き替える。この実施形態の長靴サンダル１５は、左右対称形であるので、左右何れの長靴３に履き替えることができる。
【００１４】
この実施形態の長靴サンダル１５は、傾斜面で滑り止め７，７ａが地面に食い込み、足元の滑りを防ぎ、安定な作業を可能にする。また、底面４は、平面であり、平地の歩行時に転けるのを防止する。また、滑り止め７ａも、底面４とともに平地での歩行を助ける。
【００１５】
なお、この考案の長靴サンダルは、上記実施形態に限定されるものではなく、サイズや形状は適宜設定可能なものである。また、素材は、濡れたり汚れたりしても容易に水洗可能なものであれば良く、使用に耐え得る丈夫なものであればよい。
【図面の簡単な説明】
【００１６】
【図１】この考案の長靴サンダルの一実施形態の斜視図である。
【図２】この実施形態の長靴サンダルの正面図である。
【図３】この実施形態の長靴サンダルの左側面図である。
【図４】この実施形態の長靴サンダルの右側面図である。
【図５】この実施形態の長靴サンダルの平面図である。
【図６】この実施形態の長靴サンダルの底面図である。
【図７】この実施形態の長靴サンダルに装着ベルトを着けた状態の平面図である。
【符号の説明】
【００１７】
１  傾斜側面
２  長靴支持面
３  長靴
５  側面支持部
６  前後支持面
７，７ａ  滑り止め
１０  本体
１２  装着ベルト
１２ａ，１２ｂ  面ファスナ
１５  長靴サンダル
【手続補正４】
【補正対象書類名】図面
【補正対象項目名】全図
【補正方法】変更
【補正の内容】
【図１】
0003136273.tif 000010
【図２】
0003136273.tif 000011
【図３】
0003136273.tif 000012
【図４】
0003136273.tif 000013
【図５】
0003136273.tif 000014
【図６】
0003136273.tif 000015
【図７】
0003136273.tif 000016
【図８】
0003136273.tif 000017